(57)【要約】  本発明は、移動無線ネットワーク・システムの少なくとも１つの端末に対して集中的メッセージング・サービスを提供するための方法に関する。少なくとも１つの端末のところで、集中的メッセージング・サービスを提供している移動無線ネットワーク・システムの少なくとも１つのネットワーク（１）と通信するように設計されているクライアント機能を有するワーキング・ユニット（２）が設定される。さらに、本発明は、適切なワーキング・ユニットを提供する。【選択図】図２
2010505309.tif 000002
【特許請求の範囲】
【請求項１】
移動無線ネットワーク・システムの少なくとも１つの端末に対して集中的メッセージング・サービスを提供するための方法であって、前記少なくとも１つの端末のところで、前記移動無線ネットワーク・システムの前記集中的メッセージング・サービスを提供している少なくとも１つのネットワーク（１）と通信するように設計されているクライアント機能を有するワーキング・ユニット（２）が設定される方法。
【請求項２】
前記ワーキング・ユニット（２）が、メッセージを生成することができ、それらのメッセージを、前記集中的メッセージング・サービスを提供している前記移動無線ネットワーク・システムの前記ネットワーク（１）に送信することができ、前記メッセージが、前記集中的メッセージング・サービスを提供している前記ネットワーク（１）の要件に適合している、請求項１に記載の方法。
【請求項３】
前記ワーキング・ユニット（２）が、集中的メッセージング・サービスを提供している前記移動無線ネットワーク・システムの任意のネットワーク（１）と通信することができる、請求項１又は２のいずれか１つに記載の方法。
【請求項４】
前記ワーキング・ユニット（２）が、前記端末のユーザのＳＩＭカードのところで、及び／又は前記端末に接続することができる外部媒体のところで、前記端末のメモリ内に格納され、操作される、前記請求項のいずれか１つに記載の方法。
【請求項５】
前記集中的メッセージング・サービスを提供している前記移動無線ネットワーク・システムの前記少なくとも１つのネットワーク（１）と通信するための前記クライアント機能を有する前記ワーキング・ユニット（２）が、前記端末のユーザに、前記集中的メッセージング・サービスに集中する前記サービスのうちの１つに対して設計されている第１のユーザ・インターフェイスを提供する、前記請求項のいずれか１つに記載の方法。
【請求項６】
前記集中的メッセージング・サービスを提供している前記移動無線ネットワーク・システムの前記少なくとも１つのネットワーク（１）と通信するための前記クライアント機能を有する前記ワーキング・ユニット（２）が、前記端末のユーザに、前記ユーザが、前記ワーキング・ユニット（２）を通して前記集中的メッセージング・サービスにより提供される任意のメッセージング・オプションを使用することができるようにする第２のユーザ・インターフェイスを提供する、前記請求項のいずれか１つに記載の方法。
【請求項７】
前記集中的メッセージング・サービスを提供している前記移動無線ネットワーク・システムの前記少なくとも１つのネットワーク（１）と通信するための前記第２のユーザ・インターフェイスが、生成され、送信又は受信される任意のタイプのメッセージに対して同一の方法で実施される、請求項６に記載の方法。
【請求項８】
前記集中的メッセージング・サービスを提供している前記移動無線ネットワーク・システムの前記少なくとも１つのネットワーク（１）と通信するための前記ワーキング・ユニット（２）が、前記端末のユーザに、任意選択で、前記第１又は第２のユーザ・インターフェイスを提供する、請求項５、６又は７のいずれか１つに記載の方法。
【請求項９】
前記集中的メッセージング・サービスが、少なくとも、ＳＭＳ、ＭＭＳ、ＥＭＳ、ＩＭ及びプッシュ・ツウ・トークからなるグループからのサービスを集中させる、前記請求項のいずれか１つに記載の方法。
【請求項１０】
移動無線ネットワーク・システムの少なくとも１つの端末に対する集中的メッセージング・サービスを提供するためのワーキング・ユニットであって、前記ワーキング・ユニット（２）がクライアント機能を有し、前記少なくとも１つの端末と機能的に結合され、前記集中的メッセージング・サービスを提供している前記移動無線ネットワーク・システムの少なくとも１つのネットワーク（１）と通信するように設計されるワーキング・ユニット。
【請求項１１】
前記ワーキング・ユニット（２）が、メッセージを生成し、それらのメッセージを、前記集中的メッセージング・サービスを提供している前記移動無線ネットワーク・システムの前記ネットワーク（１）に送信することができ、前記メッセージが、前記集中的メッセージング・サービスを提供している前記ネットワーク（１）の要件に適合する、請求項１０に記載のワーキング・ユニット。
【請求項１２】
前記ワーキング・ユニット（２）が、集中的メッセージング・サービスを提供している前記移動無線ネットワーク・システムの任意のネットワーク（１）と通信することができる、請求項１０又は１１のいずれか１つに記載のワーキング・ユニット。
【請求項１３】
前記ワーキング・ユニット（２）が、前記端末のユーザのＳＩＭカードのところで、及び／又は前記端末に接続することができる外部媒体のところで、前記端末のメモリ内に格納され、操作される、請求項１０から１２のいずれか１つに記載のワーキング・ユニット。
【請求項１４】
前記集中的メッセージング・サービスを提供している前記移動無線ネットワーク・システムの前記少なくとも１つのネットワーク（１）と通信するための前記クライアント機能を有する前記ワーキング・ユニット（２）が、前記端末のユーザに、前記集中的メッセージング・サービスに集中する前記サービスのうちの１つに対して設計されている第１のユーザ・インターフェイスを提供することができる、請求項１０から１３のいずれか１つに記載のワーキング・ユニット。
【請求項１５】
前記集中的メッセージング・サービスを提供している前記移動無線ネットワーク・システムの前記少なくとも１つのネットワーク（１）と通信するための前記クライアント機能を有する前記ワーキング・ユニット（２）が、前記端末のユーザに、前記ユーザが、前記ワーキング・ユニット（２）を通して前記集中的メッセージング・サービスにより提供される任意のメッセージング・オプションを使用することができるようにする第２のユーザ・インターフェイスを提供する、請求項１０から１４のいずれか１つに記載のワーキング・ユニット。
【請求項１６】
前記集中的メッセージング・サービスを提供している前記移動無線ネットワーク・システムの前記少なくとも１つのネットワーク（１）と通信するための前記第２のユーザ・インターフェイスが、生成され、送信又は受信される任意のタイプのメッセージに対して同一の方法で実施される、請求項１５に記載のワーキング・ユニット。
【請求項１７】
前記集中的メッセージング・サービスを提供している前記移動無線ネットワーク・システムの前記少なくとも１つのネットワーク（１）と通信するための前記ワーキング・ユニット（２）が、前記端末のユーザに、任意選択で、前記第１又は第２のユーザ・インターフェイスを提供することができる、請求項１３、１４又は１５のいずれか１つに記載のワーキング・ユニット。
【請求項１８】
前記集中的メッセージング・サービスが、少なくとも、ＳＭＳ、ＭＭＳ、ＥＭＳ、ＩＭ及びプッシュ・ツウ・トークからなるグループからのサービスを集中させる、請求項１０から１７のいずれか１つに記載のワーキング・ユニット。
【請求項１９】
プログラム・コード手段を有するコンピュータ・プログラムであって、前記コンピュータ・プログラムが、特に請求項１０から１８のいずれか１つに記載のワーキング・ユニット（２）を使用しているコンピュータ又は対応する計算ユニット上で実行された場合に、それの助けを借りて、請求項１から９のいずれか１つに記載の方法のすべてのステップを実行することができるコンピュータ・プログラム。
【請求項２０】
コンピュータ・プログラムが、特に請求項１０から１８のいずれか１つに記載のワーキング・ユニット（２）を使用しているコンピュータ又は対応する計算ユニット上で実行された場合に、請求項１から９のいずれか１つに記載の方法のすべてのステップを実行するのに適しているプログラム・コード手段を有するコンピュータ読み取り可能媒体のところに格納している前記コンピュータ読み取り可能媒体及びコンピュータ・プログラムを含むコンピュータ・プログラム。
【発明の詳細な説明】
【技術分野】
【０００１】
本発明は、移動無線ネットワーク・システムの少なくとも１つの端末に対して集中的メッセージング・サービスを提供するための方法に関する。さらに、本発明は、移動無線ネットワーク・システムの少なくとも１つの端末に対して集中的メッセージング・サービスを提供するのに適しているワーキング・ユニットに関する。本発明は、また、コンピュータ・プログラム製品及び対応するコンピュータ・プログラムに関する。
【背景技術】
【０００２】
今日、移動無線技術の分野においては、幾つかのメッセージング・サービスは周知のものである。これらのメッセージング・サービスは、とりわけ、ＳＭＳ（ショート・メッセージ・サービス）、ＭＭＳ（マルチメディア・メッセージング・サービス）、ＩＭ（インスタント・メッセージング）及び移動体用電子メール並びにプッシュ・ツウ・トークを含む。これらの幾つかのメッセージング・サービスは、現在、個々のいわゆるサイロとして構成されているが、このことは、これらの各サービスが、他の個々のサービスから事実上独立していることを意味する。しかし、このサイロ・アプローチは、予見することができる将来において、いわゆる「集中的メッセージング」アプローチにより置換されるだろう。このような集中的メッセージング・サービスを実現するためには、適切ないわゆるクライアント機能を有する対応するワーキング・ユニットは、対応する移動無線端末のところに位置していなければならない。
【発明の概要】
【発明が解決しようとする課題】
【０００３】
本発明の１つの目的は、移動無線ネットワーク・システムの端末により、集中的メッセージング・サービスを要求することができ、またその提供を可能にする方法及びワーキング・ユニットをそれぞれ提供することである。
【課題を解決するための手段】
【０００４】
上記目的を達成するために、本発明は、請求項１記載の特徴を有する移動無線ネットワーク・システムの少なくとも１つの端末に対して、集中的メッセージング・サービスを提供するための方法、及び請求項１０記載の特徴を有する適切なワーキング・ユニットを提供する。さらに、本発明は、上記目的を達成するのに適しているコンピュータ・プログラム及びコンピュータ・プログラム製品を開示している。
【０００５】
本発明の請求項１は、移動無線ネットワーク・システムの少なくとも１つの端末に対して集中的メッセージング・サービスを提供するための方法を開示している。この方法により、少なくとも１つの端末のところで、集中的メッセージング・サービスを提供している移動無線ネットワーク・システムの少なくとも１つのネットワークと通信するように設計されているクライアント機能を有するワーキング・ユニットが設定される。本発明の範囲内においては、クライアント機能という用語は、その内部において提供されるサービスを要求することができるようにするために、あるサービスとの接続を提供する可能性、この場合には、特に集中的メッセージング・サービスとの接続を提供する可能性を意味する。このようなサービスとしては、例えば、対応するデータベースのところでのファイルのダウンロード、メッセージの送受信、又は他の活動等がある。
【０００６】
ワーキング・ユニットは、メッセージを生成し、これらのメッセージを集中的メッセージング・サービスを提供している移動無線ネットワーク・システムのネットワークに送信する場合もある。このメッセージは、集中的メッセージング・サービスを提供しているネットワークの要件に適合している。
【０００７】
さらに、この点に関して、ワーキング・ユニットが、集中的メッセージング・サービスを提供している移動無線ネットワーク・システムの各ネットワークと通信することができる場合もある。
【０００８】
本発明による方法の実行可能な実施形態によれば、ワーキング・ユニットは、端末のユーザのＳＩＭカードのところ、及び／又は端末に接続することができる外部媒体のところの端末のメモリに格納され、このメモリ内で作動する。
【０００９】
集中的メッセージング・サービスを提供している移動無線ネットワーク・システムの少なくとも１つのネットワークと通信するためのクライアント機能を有するワーキング・ユニットが、端末のユーザに、集中的メッセージング・サービスに集中するサービスのうちの１つのために設計されている第１のユーザ・インターフェイスを提供する場合もある。このことは、ワーキング・ユニットが提供するユーザ・インターフェイスが、ＳＭＳ又はＭＭＳのようなおなじみのメッセージング・サービスのユーザ・インターフェイスに対応することを意味する。それ故、ユーザは、実際には通信は集中的メッセージング・サービスにより行われているという事実を意識しないで、又はこの事実を気にする必要もなく通常の方法で自分になじみのサービスを使用することができる。このことは、実際の通信及びその実施それぞれにユーザが気が付かないままであることを意味する。それ故、ユーザは、新しいユーザ・インターフェイスについてよく知らなくても、自分になじみの機能により、自分になじみのサービスと通信することができる。
【００１０】
さらに、本発明による方法の他の実施形態の場合には、集中的メッセージング・サービスを提供している移動無線ネットワーク・システムの少なくとも１つのネットワークと通信するためのワーキング・ユニットは、端末のユーザに、ワーキング・ユニットを通して集中的メッセージング・サービスが提供する任意のメッセージング・オプションをユーザが使用することができるようにする第２のユーザ・インターフェイスを提供する。このことは、ユーザがその全範囲内で集中的メッセージング・サービスを使用することができることを意味する。それ故、ユーザは、例えば、本発明によるクライアント機能を有するワーキング・ユニットによる集中的メッセージング・サービスが提供するテキスト・メッセージ、画像メッセージ、インスタント・メッセージ等のような、例えば、「メッセージング特性」のようなすべてのメッセージング・オプションを使用することができる。このことは、ここで提供されるクライアント機能を有するワーキング・ユニットが一般的な特徴を有することを意味する。
【００１１】
さらに、本発明による方法の他の実施形態の場合には、集中的メッセージング・サービスを提供している移動無線ネットワーク・システムの少なくとも１つのネットワークと通信するためのワーキング・ユニットは、端末のユーザに、任意選択で、第１又は第２のユーザ・インターフェイスを提供することができる。
【００１２】
集中的メッセージング・サービスは、例えば、ＳＭＳ、ＭＭＳ、ＥＭＳ、ＩＭ及びプッシュ・ツウ・トークからなるグループからのサービスを集中させることができる。
【００１３】
さらに、本発明は、移動無線ネットワーク・システムの少なくとも１つの端末に対して集中的メッセージング・サービスを提供するためのワーキング・ユニットを提供する。この場合、ワーキング・ユニットは、クライアント機能を有し、少なくとも１つの端末と機能的に結合するようになっていて、移動無線ネットワーク・システムの少なくとも１つのネットワークと通信するように設計され、少なくとも１つのネットワークは、集中的メッセージング・サービスを提供する。
【００１４】
ワーキング・ユニットが、メッセージを生成し、これらのメッセージを、集中的メッセージング・サービスを要求している集中的メッセージング・サービスを提供している移動無線ネットワーク・システムのネットワークに送信することができる場合もある。メッセージは、集中的メッセージング・サービスを提供しているネットワークの要件に適合する。さらに、この点に関連して、ワーキング・ユニットは、集中的メッセージング・サービスを提供している移動無線ネットワーク・システムの各ネットワークと通信することができる場合もある。それ故、ワーキング・ユニットは、集中的メッセージング・サービスを提供している移動無線ネットワーク・システムの特定のネットワークとの通信に適しているばかりでなく、集中的メッセージング・サービスを提供している移動無線ネットワーク・システムのすべてのネットワークとメッセージを交換するのにも適している一般的なワーキング・ユニットを表す。
【００１５】
本発明によるワーキング・ユニットの他の実施形態によれば、ワーキング・ユニットは、端末のユーザのＳＩＭカードのところ及び／又は端末に接続することができる外部媒体のところに格納され、作動する。
【００１６】
集中的メッセージング・サービスを提供している移動無線ネットワーク・システムの少なくとも１つのネットワークと通信するためのクライアント機能を有するワーキング・ユニットは、端末のユーザに、集中的メッセージング・サービスに集中するサービスのうちの１つのために設計されている第１のユーザ・インターフェイスを提供することができる。
【００１７】
それ故、ユーザは、要求した通信が、実際には集中的メッセージング・サービスにより、又は集中的メッセージング・サービスを提供している移動無線ネットワーク・システムのネットワークにより行われていることを知らなくても、通常の方法で自分になじみのサービスを使用することができる。
【００１８】
さらに、集中的メッセージング・サービスを提供している移動無線ネットワーク・システムの少なくとも１つのネットワークと通信するためのクライアント機能を有するワーキング・ユニットは、端末のユーザに、ワーキング・ユニットを通して集中的メッセージング・サービスにより提供される任意のメッセージング・オプションを使用することができるようにする第２のユーザ・インターフェイスを提供することができる場合もある。それ故、ユーザは、集中的メッセージング・サービスにより提供されるテキスト・メッセージ、画像メッセージ及び／又はいわゆるインスタント・メッセージ等のようなすべてのメッセージング特性を使用することができる。このことは、ワーキング・ユニット及びそのクライアント機能が、それぞれ、一般的な特徴を有し、特定のサービスに指定されないこと、又はこれに依存しないことを意味する。
【００１９】
集中的メッセージング・サービスを提供している移動無線システムの少なくとも１つのネットワークと通信するための第２のユーザ・インターフェイスは、生成され、送信又は受信される任意のタイプのメッセージに対して同様に実施することができる。
【００２０】
さらに、集中的メッセージング・サービスを提供している移動無線ネットワーク・システムの少なくとも１つのネットワークと通信するためのワーキング・ユニットは、端末のユーザに、任意選択で、第１又は第２のユーザ・インターフェイスを提供することができる。
【００２１】
集中的メッセージング・サービスは、例えば、少なくとも、ＳＭＳ、ＭＭＳ、ＥＭＳ、ＩＭ及びプッシュ・ツウ・トークからなるグループからのサービスを集中させる。
【００２２】
本発明は、また、特に、本発明によるワーキング・ユニットを使用しているコンピュータ又は対応する計算ユニット上でコンピュータ・プログラムが実行された場合に、それの助けを借りて、本発明による方法のすべてのステップを実行することができるプログラム・コード手段を有するコンピュータ・プログラムに関する。
【００２３】
また、コンピュータ・プログラム製品は、特に本発明によるワーキング・ユニットを使用しているコンピュータ又は対応する計算ユニット上でコンピュータ・プログラムが実行された場合に、コンピュータ読み取り可能媒体、及び本発明による方法のすべてのステップを実行するのに適しているプログラム・コード手段を有するコンピュータ読み取り可能媒体のところに格納しているコンピュータ・プログラムを含む。
【００２４】
本発明の他の利点及び実施態様は、本明細書を読み、添付の図面を見れば理解することができるだろう。
【００２５】
上記特徴、及び以下に説明する特徴は、本発明の範囲から逸脱することなしに、表示の各組合せだけではなく、他の組合せで又は別々に適用することができることを理解されたい。
【００２６】
本発明の実施形態を概略図示し、図面を参照しながら以下に詳細に説明する。
【図面の簡単な説明】
【００２７】
【図１】本発明による方法の実施形態の可能な実施態様の略図である。
【図２】本発明による方法の他の実施形態のもう１つの可能な実施態様の略図である。
【発明を実施するための形態】
【００２８】
図１は、本発明による方法の可能な実施態様の略図である。
【００２９】
この図においては、集中的メッセージング・サービスを提供している移動無線ネットワーク・システムのネットワーク１は雲で表してある。さらに、クライアント機能を有するワーキング・ユニットは、矩形のボックス２で表してある。この場合、ワーキング・ユニット２は、ワーキング・ユニット２と通信する端末（図示せず）が、ワーキング・ユニット２を介して集中的メッセージング・サービスを提供している移動無線ネットワーク・システムのネットワーク１と通信することができるように設計されている。この図の場合には、端末と集中的メッセージング・サービスを提供しているネットワーク１との間でメッセージを交換することができる通信経路及び通信戻り経路を示す両方向矢印が、実施可能な通信を示している。この図のワーキング・ユニット２は、例えば、ＳＭＳ又はＭＭＳのようななじみのメッセージング・サービスのためのユーザ・インターフェイスに対応する端末（図示せず）のユーザにユーザ・インターフェイスを提供する。これにより、端末のユーザは、実際には、通信が、両方向矢印で示すような集中的メッセージング・サービスにより行われることを意識しないで、通常の方法で、例えば、ＳＭＳ又はＭＭＳのような自分になじみのサービスを使用することができる。これにより、ユーザは、さらなるトレーニング又は適応を行わなくても、集中的メッセージング・サービスを使用することができる。
【００３０】
図２は、本発明による方法のもう１つの実施形態のもう１つの可能な実施態様の略図である。この図の場合も、集中的メッセージング・サービスを提供しているネットワーク１は、雲の形で表示してある。さらに、クライアント機能を含むワーキング・ユニット２は、矩形のボックスで示してある。端末（図示せず）と結合されるワーキング・ユニット２は、この場合も両方向矢印で示す集中的メッセージング・サービスを提供しているネットワーク１と通信することができる。この図のワーキング・ユニット２の実施形態の場合には、ワーキング・ユニットは、端末（図示せず）のユーザに、端末のユーザがその全範囲で集中的メッセージング・サービスを使用することができるようにするユーザ・インターフェイスを提供する。それ故、ユーザは、ワーキング・ユニット２を介して集中的サービスにより提供されるすべてのメッセージング・オプションを使用することができる。これらのオプションは、例えば、テキスト・メッセージであっても、画像メッセージであっても、又はいわゆるインスタント・メッセージであってもよい。このことは、ワーキング・ユニット又は特にワーキング・ユニットに関連するクライアント機能が、一般的な特徴を有していることを意味する。すなわち、それが、集中的メッセージング・サービス内に集中する特定のサービスにも関連していないし、これに依存しないことを意味する。さらに、ユーザ・インターフェイスが、送信又は受信される任意のメッセージに対して同じものであることを意味する。
【００３１】
また、ワーキング・ユニット２は、任意選択で、端末（図示せず）のユーザに、図１に示すようなユーザ・インターフェイス、又は図２に示すようなユーザ・インターフェイスを提供する場合もある。このような設定を端末のところで行うこともできるし、又はワーキング・ユニット２のところで直接行うこともできる。クライアント機能を有するワーキング・ユニット２を、さらに、端末のところで直接実施することができる。このことは、ワーキング・ユニットを、例えば、端末のメモリに格納することができることを意味する。さらに、ワーキング・ユニットを、端末に接続する外部媒体のところに格納し、そこから作動することもできる。また、クライアント機能を有するワーキング・ユニットを、端末のユーザのＳＩＭカードのところに格納し、ＳＩＭカードを端末内に挿入すると直ちにそこから作動することができる。
【図１】
2010505309.tif 000003
【図２】
2010505309.tif 000004
【手続補正書】
【提出日】平成20年5月19日(2008.5.19)
【手続補正１】
【補正対象書類名】特許請求の範囲
【補正対象項目名】全文
【補正方法】変更
【補正の内容】
【特許請求の範囲】
【請求項１】
移動無線ネットワーク・システムの少なくとも１つの端末に対して集中的メッセージング・サービスを提供するための方法であって、前記少なくとも１つの端末のところで、前記移動無線ネットワーク・システムの前記集中的メッセージング・サービスを提供している少なくとも１つのネットワーク（１）と通信するように設計されているクライアント機能を有するワーキング・ユニット（２）が設定され、前記集中的メッセージング・サービスを提供している前記移動無線ネットワーク・システムの前記少なくとも１つのネットワーク（１）と通信するための前記クライアント機能を有する前記ワーキング・ユニット（２）が、前記端末のユーザに、前記集中的メッセージング・サービスに集中する前記サービスのうちの１つのために設計されている第１のユーザ・インターフェイスと、前記ユーザが、前記ワーキング・ユニット（２）を通して前記集中的メッセージング・サービスにより提供される任意のメッセージング・オプションを使用することができるようにする第２のユーザ・インターフェイスとを提供する方法。
【請求項２】
前記ワーキング・ユニット（２）が、メッセージを生成することができ、それらのメッセージを、前記集中的メッセージング・サービスを提供している前記移動無線ネットワーク・システムの前記ネットワーク（１）に送信することができ、前記メッセージが、前記集中的メッセージング・サービスを提供している前記ネットワーク（１）の要件に適合している、請求項１に記載の方法。
【請求項３】
前記ワーキング・ユニット（２）が、集中的メッセージング・サービスを提供している前記移動無線ネットワーク・システムの任意のネットワーク（１）と通信することができる、請求項１又は２のいずれか１つに記載の方法。
【請求項４】
前記集中的メッセージング・サービスを提供している前記移動無線ネットワーク・システムの前記少なくとも１つのネットワーク（１）と通信するための前記クライアント機能を有する前記ワーキング・ユニット（２）が、前記端末のユーザに、前記ユーザが、前記ワーキング・ユニット（２）を通して前記集中的メッセージング・サービスにより提供される任意のメッセージング・オプションを使用することができるようにする第２のユーザ・インターフェイスを提供する、前記請求項のいずれか１つに記載の方法。
【請求項５】
前記集中的メッセージング・サービスを提供している前記移動無線ネットワーク・システムの前記少なくとも１つのネットワーク（１）と通信するための前記第２のユーザ・インターフェイスが、生成され、送信又は受信される任意のタイプのメッセージに対して同一の方法で実施される、請求項１に記載の方法。
【請求項６】
前記集中的メッセージング・サービスを提供している前記移動無線ネットワーク・システムの前記少なくとも１つのネットワーク（１）と通信するための前記ワーキング・ユニット（２）が、前記端末のユーザに、任意選択で、前記第１又は第２のユーザ・インターフェイスを提供する、請求項１から５のいずれか１つに記載の方法。
【請求項７】
前記集中的メッセージング・サービスが、少なくとも、ＳＭＳ、ＭＭＳ、ＥＭＳ、ＩＭ及びプッシュ・ツウ・トークからなるグループからのサービスを集中させる、前記請求項のいずれか１つに記載の方法。
【請求項８】
移動無線ネットワーク・システムの少なくとも１つの端末に対する集中的メッセージング・サービスを提供するためのワーキング・ユニットであって、前記ワーキング・ユニット（２）がクライアント機能を有し、前記少なくとも１つの端末と機能的に結合され、前記集中的メッセージング・サービスを提供している前記移動無線ネットワーク・システムの少なくとも１つのネットワーク（１）と通信するように設計され、前記集中的メッセージング・サービスを提供している前記移動無線ネットワーク・システムの前記少なくとも１つのネットワーク（１）と通信するための前記クライアント機能を有する前記ワーキング・ユニット（２）が、前記端末のユーザに、前記集中的メッセージング・サービスに集中する前記サービスのうちの１つに対して設計されている第１のユーザ・インターフェイスと、前記ユーザが、前記ワーキング・ユニット（２）を通して前記集中的メッセージング・サービスにより提供される任意のメッセージング・オプションを使用することができるようにする第２のユーザ・インターフェイスとを提供するワーキング・ユニット。
【請求項９】
前記ワーキング・ユニット（２）が、メッセージを生成し、それらのメッセージを、前記集中的メッセージング・サービスを提供している前記移動無線ネットワーク・システムの前記ネットワーク（１）に送信することができ、前記メッセージが、前記集中的メッセージング・サービスを提供している前記ネットワーク（１）の要件に適合する、請求項８に記載のワーキング・ユニット。
【請求項１０】
前記ワーキング・ユニット（２）が、集中的メッセージング・サービスを提供している前記移動無線ネットワーク・システムの任意のネットワーク（１）と通信することができる、請求項８又は９のいずれか１つに記載のワーキング・ユニット。
【請求項１１】
前記ワーキング・ユニット（２）が、前記端末のユーザのＳＩＭカードのところで、及び／又は前記端末に接続することができる外部媒体のところで、前記端末のメモリ内に格納され、操作される、請求項８から１０のいずれか１つに記載のワーキング・ユニット。
【請求項１２】
前記集中的メッセージング・サービスを提供している前記移動無線ネットワーク・システムの前記少なくとも１つのネットワーク（１）と通信するための前記第２のユーザ・インターフェイスが、生成され、送信又は受信される任意のタイプのメッセージに対して同一の方法で実施される、請求項８に記載のワーキング・ユニット。
【請求項１３】
前記集中的メッセージング・サービスを提供している前記移動無線ネットワーク・システムの前記少なくとも１つのネットワーク（１）と通信するための前記ワーキング・ユニット（２）が、前記端末のユーザに、任意選択で、前記第１又は第２のユーザ・インターフェイスを提供することができる、請求項８又は１１のいずれか１つに記載のワーキング・ユニット。
【請求項１４】
前記集中的メッセージング・サービスが、少なくとも、ＳＭＳ、ＭＭＳ、ＥＭＳ、ＩＭ及びプッシュ・ツウ・トークからなるグループからのサービスを集中させる、請求項８から１３のいずれか１つに記載のワーキング・ユニット。
【請求項１５】
プログラム・コード手段を有するコンピュータ・プログラムであって、前記コンピュータ・プログラムが、特に請求項８から１４のいずれか１つに記載のワーキング・ユニット（２）を使用しているコンピュータ又は対応する計算ユニット上で実行された場合に、それの助けを借りて、請求項１から７のいずれか１つに記載の方法のすべてのステップを実行することができるコンピュータ・プログラム。
【請求項１６】
コンピュータ・プログラムが、特に請求項８から１４のいずれか１つに記載のワーキング・ユニット（２）を使用しているコンピュータ又は対応する計算ユニット上で実行された場合に、請求項１から７のいずれか１つに記載の方法のすべてのステップを実行するのに適しているプログラム・コード手段を有するコンピュータ読み取り可能媒体のところに格納している前記コンピュータ読み取り可能媒体及びコンピュータ・プログラムを含むコンピュータ・プログラム。
【国際調査報告】
2010505309.tif 000005
2010505309.tif 000006
2010505309.tif 000007
2010505309.tif 000008